(57)【要約】【課題】建物構造材を外さないようにして固定具を打入することができるマーク入りパネルを提供する。【解決手段】建物構造材１に載置されて固定具２を打入することにより固定されるパネル３に関する。建物構造材１に載置した際に建物構造材１の幅方向に配列される複数本の位置決めマーク５、５…をパネル３の側端部分の下部に設ける。パネル３の表面において各位置決めマーク５、５…に対応する位置に固定具２を打入する際の基準となる打入位置マーク４、４…を設ける。建物構造材１の幅に対応するように打入位置Ｔを容易に設定することができ、固定具２が建物構造材１から外れて打入されるのをなくすることができる。【選択図】図１
2007303168.tif 000002
【特許請求の範囲】
【請求項１】
建物構造材に載置されて固定具を打入することにより固定されるパネルであって、複数本の位置決めマークを建物構造材の幅方向と平行なパネルの側端部分の下部に設け、パネルの表面において各位置決めマークに対応する位置に固定具を打入する際の基準となる打入位置マークを設けて成ることを特徴とするマーク入りパネル。
【請求項２】
隣り合う位置決めマークの間隔を建物構造材の幅寸法の１／２以下に形成して成ることを特徴とする請求項１に記載のマーク入りパネル。
【請求項３】
請求項１又は２に記載のマーク入りパネルを建物構造材に載置すると共に建物構造材の幅内に位置する位置決めマークを視認し、この位置決めマークに対応する打入位置マークを基準にして建物構造材の幅内に対応する位置においてパネルの表面に打入位置を設定し、この打入位置に固定具を打入することを特徴とするマーク入りパネルの固定方法。
【発明の詳細な説明】
【技術分野】
【０００１】
本発明は、母屋や梁などの建物構造材に釘やテクスなどの固定具を打入して固定される打入固定用パネル及びその固定方法に関するものであり、特に、厚みが厚く、山部などを有する屋根パネルに好適に用いることができるものである。
【背景技術】
【０００２】
従来より、二枚の金属外皮の間に断熱材を介在させて断熱パネル（サンドイッチパネル）を形成し、この断熱パネルを屋根パネルとして用いることが行われている（例えば、特許文献１参照）。この場合、断熱パネルの施工は、断熱パネルを母屋などの建物構造材に載置した後、断熱パネルの上面（表面）から建物構造材にまで釘やビスなどの固定具を打入して固定するようにしている。
【０００３】
しかし、断熱パネルは金属製屋根材に比べて厚いために、建物構造材の位置を目視により定めながら断熱パネルの表面から固定具を打入するのは難しく、建物構造材を外れて固定具が打入されるという問題があった。特に、屋根での作業は高所かつ傾斜した屋根構造部分で不安定な姿勢で作業を行うため、この問題が起こりやすく、また、断熱パネルとして表面に山部が突設されたものを用いた場合、山部の表面（上面）から固定具を打入するために、さらに建物構造材の位置を目視により定めながら固定具を打入するのが難しくなり、上記の問題が起こりやすくなっていた。
【特許文献１】特開平１１−２１０１７４号公報
【発明の開示】
【発明が解決しようとする課題】
【０００４】
本発明は上記の点に鑑みてなされたものであり、建物構造材を外さないようにして固定具を打入することができるマーク入りパネル及びその固定方法を提供することを目的とするものである。
【課題を解決するための手段】
【０００５】
本発明の請求項１に係るマーク入りパネルＡは、建物構造材１に載置されて固定具２を打入することにより固定されるパネル３であって、複数本の位置決めマーク５、５…を建物構造材１の幅方向と平行なパネル３の側端部分の下部に設け、パネル３の表面において各位置決めマーク５、５…に対応する位置に固定具２を打入する際の基準となる打入位置マーク４、４…を設けて成ることを特徴とするものである。
【０００６】
本発明の請求項２に係るマーク入りパネルＡは、請求項１において、隣り合う位置決めマーク５、５…の間隔Ｐを建物構造材１の幅寸法Ｈの１／２以下に形成して成ることを特徴とするものである。
【０００７】
本発明の請求項３に係るマーク入りパネルＡの固定方法は、請求項１又は２に記載のマーク入りパネルＡを建物構造材１に載置すると共に建物構造材１の幅内に位置する位置決めマーク５を視認し、この位置決めマーク５に対応する打入位置マーク４を基準にして建物構造材１の幅内に対応する位置においてパネル３の表面に打入位置Ｔを設定し、この打入位置Ｔに固定具２を打入することを特徴とするものである。
【発明の効果】
【０００８】
本発明では、建物構造材１の幅に対応するように打入位置Ｔを容易に設定することができ、固定具２が建物構造材１から外れて打入されるのをなくすることができるものであり、マーク入りパネルＡを確実に固定することができるものである。
【０００９】
また、隣り合う位置決めマーク５、５…の間隔Ｐを建物構造材１の幅寸法Ｈの１／２以下に形成すると、少なくとも二個の位置決めマーク５、５が建物構造材１の幅内に対応する位置に配置されることになり、この建物構造材１の幅内に位置する位置決めマーク５、５の間に打入位置Ｔを設定すれば、建物構造材１を外すことなく固定具２を打入することができ、打入位置Ｔをさらに容易に設定することができるものである。
【発明を実施するための最良の形態】
【００１０】
以下、本発明を実施するための最良の形態を説明する。
【００１１】
本発明のマーク入りパネルＡは、パネル３に位置決めマーク５、５…と打入位置マーク４、４…とを設けて形成されるものである。
【００１２】
図２にパネル３として屋根パネルを示す。このパネル３は二枚の金属外皮１０、１１の間に断熱材１２を充填して形成される断熱パネル（サンドイッチパネル）である。金属外皮１０，１１は金属板をロール成形などして所定の形状に形成したものであり、この金属板としてはステンレス鋼板、亜鉛めっき鋼板、アルミニウム亜鉛合金めっき鋼板、塗装鋼板、塩ビ被覆鋼板などの各種のものを用いることができる。また、金属板の厚みは０．２〜２．０ｍｍを例示することができるが、これに限定されるものではない。断熱材１２としてはウレタンフォーム、フェノールフォームなどの合成樹脂発泡体あるいはロックウールやグラスウールなどの無機繊維材を用いることができる。断熱材１２の厚みは２０〜１２０ｍｍを例示することができるが、これに限定されるものではない。
【００１３】
パネル３の幅方向（短手方向）の略中央部には、山部１３が表側（上側）に突出してパネル３の長さ方向（長手方向）の全長に亘ってパネル３の長辺と略平行に形成されている。
【００１４】
パネル３の一方の側端部（長辺端部）には固定用山部１４が表側に突出してパネル３の長さ方向の全長に亘って形成されている。固定用山部１４の表面（上面）には凹溝１５が固定用山部１４の全長に亘って形成されている。固定用山部１４の山部１３側（内側）の側面には係止溝２５が固定用山部１４の全長に亘って形成されていると共に固定用山部１４の山部１３と反対側（外側）の側面には係止溝３５が固定用山部１４の全長に亘って形成されている。また、この固定用山部１４を形成した方の側端部の下部には突出片１６が設けられている。この突出片１６は裏側（下側）の金属外皮１１の側端部を表面側へ折り返し屈曲して形成されており、固定用山部１４よりも外側（側方）に突出してパネル３の長さ方向の全長に亘って形成されている。また、係合溝３５と突出片１６の間には防水パッキン１７がパネル３の長さ方向の全長に亘って設けられている。
【００１５】
パネル３の他方の側端部には被覆部１８がパネル３の表側に突出してパネル３の長さ方向の全長に亘って形成されている。被覆部１８は表側（上側）の金属外皮１０の側端部を所定の形状に成形したものであって、その断面形状は金属外皮１０の山部１３を被覆する部分とほぼ同様に、下面が開口する略コ字状に形成されている。また、被覆部１８の外側端部（先端部）には上側に向かって略Ｖ字状に折り返し屈曲した係止片１９が形成されていると共に、被覆部１８の内側端部（基部）には側方に向かって突出する係合部２０が形成されている。また、被覆部１８の下面には防水パッキン２１が被覆部１８の長手方向の全長に亘って設けられている。さらに、被覆部１８を形成した方の側端部の近傍の下面には差し込み溝２２がパネル３の長さ方向の全長に亘って形成されている。
【００１６】
そして、本発明のマーク入りパネルＡは、上記のパネル３の固定用山部１４側の側端部分に複数個の位置決めマーク５、５…と複数個の打入位置マーク４、４…とを設けて形成されている。位置決めマーク５、５…は線状であって、パネル３の側端部の下部に形成した突出片１６の上面に設けられている。また、位置決めマーク５、５…は、パネル３の長手方向に配列して設けられている。打入位置マーク４、４…は線状であって、固定用山部１４の上面に設けられている。すなわち、打入位置マーク４、４…は少なくとも凹溝１５の底面には設けるが、この打入位置マーク４、４…を凹溝５の側面及び固定用山部１４の凹溝１５以外の部分の上面２４、さらには固定用山部１４の突出片１６側の側面（外面）２６にまで亘って設けることができる。また、打入位置マーク４、４…は、パネル３の長手方向に配列して設けられている。
【００１７】
位置決めマーク５、５…はパネル３の長手方向の一端から他端にまで等間隔で配列するのが好ましく、また、打入位置マーク４、４…もパネル３の長手方向の一端から他端にまで等間隔で配列するのが好ましい。従って、位置決めマーク５と打入位置マーク４とは一対一で対応し、且つこの対応する位置決めマーク５と打入位置マーク４とはパネル３の長手方向において同位置に形成されることになる。
【００１８】
また、隣り合う位置決めマーク５、５の間隔Ｐ及び隣り合う打入位置マーク４，４の間隔Ｐは建物構造材１の上面１ａの幅寸法Ｈよりも小さく形成されている。これにより、建物構造材１の上にマーク入りパネルＡを載置した際に、少なくとも一個の位置決めマーク５及び打入位置マーク４が建物構造材１の幅内の上方に位置することになる。
【００１９】
尚、位置決めマーク５、５…を等間隔で形成してもしなくてもよい。また、打入位置マーク４、４…も等間隔で形成してもしなくてもよい。但し、位置決めマーク５、５…及び打入位置マーク４、４…を等間隔で形成しない場合も位置決めマーク５と打入位置マーク４とを一対一で対応させるようにする。また、位置決めマーク５及び打入位置マーク４は印刷やロールによる刻印などで形成することができる。また、位置決めマーク５及び打入位置マーク４は任意の形状とすることができる。
【００２０】
本発明のマーク入りパネルＡを施工するに当たっては次のようにして行う。まず、図３に示すように、マーク入りパネルＡを母屋や梁などの建物構造材１の上に載置する。この建物構造材１は屋根勾配（軒棟方向）と直交する方向に長く形成されており、また、複数本の建物構造材１、１…は屋根勾配と平行な方向に並べて配設されている。そして、マーク入りパネルＡはその長手方向を屋根勾配と平行にして複数本の建物構造材１、１…に架け渡して載置するものであり、これにより、固定用山部１４及び突出片１６の長手方向も屋根勾配と平行となる。また、マーク入りパネルＡを建物構造材１に載置した際に建物構造材１の幅方向（短手方向）と平行な方向に複数の位置決めマーク５、５…及び打入位置マーク４、４…が配列した状態となる。尚、建物構造材１はＣ型鋼材やロ型鋼材やＨ型鋼材などで形成することができる。
【００２１】
次に、図１に示すように、建物構造材１の上に載置したマーク入りパネルＡの固定用山部１４側の側端部分とその周辺の建物構造材１とを上方から目視し、建物構造材１の幅内に位置する位置決めマーク５ａを視認する。この時、マーク入りパネルＡに設けた複数の位置決めマーク５、５…及び打入位置マーク４、４…は建物構造材１の幅方向と平行な方向に沿った状態となっている。次に、視認した位置決めマーク５ａに対応する打入位置マーク４ａを視認する。そして、この打入位置マーク４ａを基準（目安）にして、建物構造材１の幅内に対応する位置において、パネル３の表面（上面）である固定用山部１４の凹溝１５の底面に釘やテクスやビスなどの固定具２の打入位置Ｔを設定する。つまり、通常、建物構造材１の上面１ａの幅方向の中央部（図１に想像線で示す）Ｏに固定具２が打入されるのが好ましいので、まず、図１に示すように、上記の視認した位置決めマーク５ａと建物構造材１の上面の幅方向の中央部Ｏとのずれ寸法ｘを目視で見当をつける。次に、視認した位置決めマーク５ａに対応する打入位置マーク４ａからのずれ寸法ｘの位置に固定具２の打入位置Ｔを設定する。これにより、建物構造材１の上面１ａの幅方向の中央部Ｏとほぼ対応する位置として打入位置Ｔを固定用山部１４の凹溝１５の底面に設定することができる。
【００２２】
このようにして打入位置Ｔを設定した後、この打入位置Ｔから固定具２を打ち込んだりねじ込んだりして打入する。固定具２の打入はマーク入りパネルＡが載置された全ての建物構造材１について行う。そして、固定具２がパネル３を貫通して建物構造材１にまで達することによりマーク入りパネルＡを建物構造材１に固定することができる。
【００２３】
この後、固定したマーク入りパネルＡに隣接して他のマーク入りパネルＡを配設する。この場合、固定したマーク入りパネルＡの固定用山部１４に他のマーク入りパネルＡの被覆部１８を被せて嵌合することにより隣接するマーク入りパネルＡ、Ａ同士を接続する。ここで、図４に示すように、嵌合した固定用山部１４と被覆部１８とは、係止溝２５とこれに挿入した係止片１９との係止及び係合溝３５と係合部２０との係合により、容易に外れないように接合される。また、固定したマーク入りパネルＡの突出片１６は他のマーク入りパネルＡの差し込み溝２２に納める。これにより、固定用山部１４及び突出片１６に設けた位置決めマーク５及び打入位置マーク４が被覆部１８で覆われて見えないようにすることができ、外観が損なわれないようにすることができる。そして、上記の固定されていないマーク入りパネルＡを上記と同様の手順で打入位置Ｔを設定した後、固定具２を打入することにより建物構造材１に固定することができる。このようにして複数枚のマーク入りパネルＡ、Ａ…を接続しながら屋根の建物構造材１に固定することにより屋根を形成することができる。
【００２４】
図５には他の実施の形態を示す。図１に示す実施の形態では、隣り合う位置決めマーク５、５の間隔Ｐ及び隣り合う打入位置マーク４，４の間隔Ｐは建物構造材１の上面１ａの幅寸法Ｈの１／２より大きく幅寸法Ｈよりも小さくしたので、建物構造材１の幅内に位置する位置決めマーク５ａは一個か二個となるが、図５に示す実施の形態では、隣り合う位置決めマーク５、５の間隔Ｐ及び隣り合う打入位置マーク４，４の間隔Ｐは建物構造材１の上面１ａの幅寸法Ｈの１／２以下にしたものであり、その他の構成は上記と同様である。
【００２５】
このマーク入りパネルＡを建物構造材１の上に載置すると、二個以上の位置決めマーク５ａ，５ａ及びこれらに対応する打入位置マーク４ａ，４ａが建物構造材１の幅内の上方に位置する。従って、建物構造材１の幅内の上方において、隣り合う打入位置マーク４ａ，４ａの間に、固定用山部１４の凹溝１５の底面に打入位置Ｔを設定すれば、確実に建物構造材１に固定具２を打入することができる。また、二本の隣り合う打入位置マーク４ａ，４ａを基準として、建物構造材１の上面１ａの幅方向の中央部Ｏとほぼ対応する位置を打入位置Ｔとして設定することができ、建物構造材１の上面１ａの幅方向の中央部Ｏに容易に対応させて打入位置Ｔを設定することができるものである。
【００２６】
尚、位置決めマーク５ａ及びこれらに対応する打入位置マーク４ａが建物構造材１の幅内の上方に位置する個数は建物構造材１の幅寸法Ｈにもよるが、通常、建物構造材１が母屋の場合、幅寸法Ｈが５０〜１００ｍｍであるので、位置決めマーク５ａ及びこれらに対応する打入位置マーク４ａが建物構造材１の幅内の上方に位置する個数は１〜２個であることが好ましく、従って、隣り合う位置決めマーク５、５の間隔Ｐ及び隣り合う打入位置マーク４，４の間隔Ｐは建物構造材１の上面１ａの幅寸法Ｈの１／２〜１／４以上とすることができる。
【００２７】
また、本発明のマーク入りパネルＡは屋根パネルだけでなく、野地板などの屋根下地パネルとしても用いることができ、この場合、山部１３や固定用山部１４及び被覆部１８などは備えず、平板パネルに形成することができる。また、本発明は厚みが金属製屋根材よりも厚いパネル（２５ｍｍ以上）の場合に好適に用いることができる。
【図面の簡単な説明】
【００２８】
【図１】本発明の実施の形態の一例を示す平面図である。
【図２】同上の一部の斜視図である
【図３】同上の施工途中を示す斜視図である。
【図４】同上の施工状態を示す一部の断面図である。
【図５】同上の他の実施の形態の一例を示す平面図である。
【符号の説明】
【００２９】
１  建物構造材
２  固定具
３  パネル
４  打入位置マーク
５  位置決めマーク
Ａ  マーク入りパネル
【図１】
2007303168.tif 000003
【図２】
2007303168.tif 000004
【図３】
2007303168.tif 000005
【図４】
2007303168.tif 000006
【図５】
2007303168.tif 000007